(57)【要約】【課題】  簡易な構造で高いアイソレーションと小型化を両立できる面型光素子に対応可能な光通信装置を提供する。【解決手段】  光通信装置は、コア２とそれを覆うクラッド３とを有しコア長手方向両端部にそれぞれ同方向に４５度傾斜面６ａ，６ｂを形成した光導波路１と、光導波路の一方の４５度傾斜面６ａに配置した波長選択フィルタ４と、発光面の法線方向と受光面の法線方向を一にした発光素子６６および受光素子６７とを備える。例えば、受光素子６７は、光導波路の一方の４５度傾斜面６ａおよび前記波長選択フィルタ４を介して光導波路１と光学的に結合され、発光素子６６は、光導波路の他方の４５度傾斜面６ｂおよびクラッド３を介して光導波路１と光学的に結合される。【選択図】  図６
2007212901.tif 000002
【特許請求の範囲】
【請求項１】
コアと前記コアを覆うクラッドとを有し前記コア長手方向両端部にそれぞれ同方向に傾斜面を形成した光導波路と、前記光導波路の一方の傾斜面に配置した波長選択フィルタと、発光面の法線方向と受光面の法線方向を一にした発光素子および受光素子とを備え、前記発光素子および受光素子の一方が、前記光導波路の一方の傾斜面および前記波長選択フィルタを介して前記光導波路と光学的に結合され、前記発光素子および受光素子の他方が、前記光導波路の他方の傾斜面および前記クラッドを介して前記光導波路と光学的に結合されることを特徴とする光通信装置。
【請求項２】
前記受光素子が前記光導波路の一方の傾斜面および前記波長選択フィルタを介して前記光導波路と光学的に結合され、前記発光素子が前記光導波路の他方の傾斜面および前記クラッドを介して前記光導波路と光学的に結合されることを特徴とする請求項１に記載の光通信装置。
【請求項３】
コアと前記コアを覆うクラッドとを有し前記コア長手方向両端部にそれぞれ同方向に傾斜面を形成した光導波路と、前記光導波路の一方の傾斜面に配置した波長選択フィルタと、発光面の法線方向をそれぞれ一にした二つの発光素子とを備え、前記発光素子の一方が、前記光導波路の一方の傾斜面および前記波長選択フィルタを介して前記光導波路と光学的に結合され、前記発光素子の他方が、前記光導波路の他方の傾斜面および前記クラッドを介して前記光導波路と光学的に結合されることを特徴とする光通信装置。
【請求項４】
コアと前記コアを覆うクラッドとを有し前記コア長手方向両端部にそれぞれ同方向に傾斜面を形成した光導波路と、前記光導波路の一方の傾斜面に配置した波長選択フィルタと、受光面の法線方向をそれぞれ一にした二つの受光素子とを備え、前記受光素子の一方が、前記光導波路の一方の傾斜面および前記波長選択フィルタを介して前記光導波路と光学的に結合され、前記受光素子の他方が、前記光導波路の他方の傾斜面および前記クラッドを介して前記光導波路と光学的に結合されることを特徴とする光通信装置。
【請求項５】
前記光導波路の傾斜面が４５度傾斜面であることを特徴とする請求項１から４のいずれかに記載の光通信装置。
【請求項６】
前記発光素子が面型発光素子であることを特徴とする請求項１から３のいずれかに記載の光通信装置。
【請求項７】
前記波長選択フィルタが前記光導波路の一方の傾斜面に直接形成されていることを特徴とする請求項１から６のいずれかに記載の光通信装置。
【請求項８】
前記光導波路の他方の傾斜面に金属薄膜または誘電体多層膜による反射ミラーを配置したことを特徴とする請求項１から７のいずれかに記載の光通信装置。
【請求項９】
前記コアの少なくとも一方の端部における前記コア長手方向と垂直方向の光導波路の表面上にマイクロレンズを設けたことを特徴とする請求項１から８のいずれかに記載の光通信装置。
【請求項１０】
前記光導波路が高分子光導波路であることを特徴とする請求項１から９のいずれかに記載の光通信装置。
【請求項１１】
コアと前記コアを覆うクラッドとを備え、前記コア長手方向両端部にそれぞれ傾斜面を形成して側面視形状を平行四辺形としたことを特徴とする光導波路。
【請求項１２】
前記傾斜面が４５度傾斜面であることを特徴とする請求項１１に記載の光導波路。
【請求項１３】
前記傾斜面の一方に波長選択フィルタを配置したことを特徴とする請求項１１または１２に記載の光導波路。
【請求項１４】
前記傾斜面の他方に金属薄膜または誘電体多層膜による反射ミラーを配置したことを特徴とする請求項１１から１３のいずれかに記載の光導波路。
【請求項１５】
前記コアの少なくとも一方の端部における前記コア長手方向と垂直方向の前記クラッドの表面上にマイクロレンズを設けたことを特徴とする請求項１１から１４のいずれかに記載の光導波路。
【請求項１６】
前記コアの少なくとも一方の端部において前記コア長手方向と垂直方向に別のコアを設けたことを特徴とする請求項１１から１５のいずれかに記載の光導波路。
【請求項１７】
前記コアが曲線状に形成されたことを特徴とする請求項１１から１６のいずれかに記載の光導波路。
【請求項１８】
前記コアと前記コアを覆うクラッドとが高分子材料で形成されることを特徴とする請求項１１から１７のいずれかに記載の光導波路。
【発明の詳細な説明】
【技術分野】
【０００１】
本発明は光通信装置に係り、特に、面型の光素子に対応した光送受信装置、光送信装置および光受信装置を含む光通信装置に関する。
【背景技術】
【０００２】
波長の異なる２つの信号光を１本の光ファイバにより双方向に伝送させる１芯双方向通信に使用される光送受信モジュールにおいては、信号光は誘電体多層膜からなる光学フィルタにより反射光と透過光として分離される。モジュール内の構造としては、Ｙ分岐光導波路の分岐部に光学フィルタが配置され、フォトダイオードとレーザーダイオードは光学フィルタを介して対向して配置される。そのため、フォトダイオードとレーザーダイオードを接近させた場合、漏れ光によりクロストークが顕著となるためモジュールの小型化が困難である。
【０００３】
特許文献１では光導波路に結合しなかった光を遮蔽する遮蔽板を挿入することによりクロストークを減少させ、モジュールの小型化を計っている。しかし、この方法ではモジュールの部品点数が増え、また、実装コストも増加するという問題がある。また、特許文献２ではレーザーダイオードとフォトダイオードを光入出射軸が直行する方向において光学フィルタと対向配置することにより高いアイソレーションの２波合分波器モジュールを実現している。
【０００４】
一方、光送受信モジュールにおいては、省電力化や高速変調性の観点からＶＣＳＥＬのような面発光型の発光素子が好適に用いられる。しかし、上記２つの特許文献による技術は端面発光型のレーザーダイオードを前提としており、面発光型の素子を実装するためにはモジュールの構造が複雑になるという問題がある。
【０００５】
さらに、例えば面型の受光素子と面型の発光素子を同一平面に配置することを実現できれば実装コストの低減が期待できる。しかし、特許文献１の方法では、許容される曲率半径の範囲で光導波路を設計し受発光素子との接合端を同一辺に配置する必要があるため、モジュールの大型化が不可避である。また、特許文献２の方法では、モジュール内に光路変換用の部材を新たに設けない限りは同一面に実装された受発光素子との接合は困難である。
【特許文献１】特開２００１−２４９２４１号公報
【特許文献２】特開２００３−２９０９３号公報
【発明の開示】
【発明が解決しようとする課題】
【０００６】
従って本発明の目的は、簡易な構造で高いアイソレーションと小型化を両立できる面型光素子に対応可能な光通信装置を提供することにある。
【課題を解決するための手段】
【０００７】
上記目的は、コアと前記コアを覆うクラッドとを有し前記コア長手方向両端部にそれぞれ同方向に傾斜面を形成した光導波路と、前記光導波路の一方の傾斜面に配置した波長選択フィルタと、発光面の法線方向と受光面の法線方向を一にした発光素子および受光素子とを備え、前記発光素子および受光素子の一方が、前記光導波路の一方の傾斜面および前記波長選択フィルタを介して前記光導波路と光学的に結合され、前記発光素子および受光素子の他方が、前記光導波路の他方の傾斜面および前記クラッドを介して前記光導波路と光学的に結合される光通信装置により、達成される。
【０００８】
ここで、前記受光素子は前記光導波路の一方の傾斜面および前記波長選択フィルタを介して前記光導波路と光学的に結合され、前記発光素子は前記光導波路の他方の傾斜面および前記クラッドを介して前記光導波路と光学的に結合されることが好ましい。前記光導波路の傾斜面は好適には４５度傾斜面である。この「４５度」は、４５度丁度のほかその近傍も含む約４５度を意味する。
【０００９】
また、本発明に係る光通信装置は、コアと前記コアを覆うクラッドとを有し前記コア長手方向両端部にそれぞれ同方向に傾斜面を形成した光導波路と、前記光導波路の一方の傾斜面に配置した波長選択フィルタと、発光面の法線方向をそれぞれ一にした二つの発光素子とを備え、前記発光素子の一方が、前記光導波路の一方の傾斜面および前記波長選択フィルタを介して前記光導波路と光学的に結合され、前記発光素子の他方が、前記光導波路の他方の傾斜面および前記クラッドを介して前記光導波路と光学的に結合されるものである。
【００１０】
さらに、本発明に係る光通信装置は、コアと前記コアを覆うクラッドとを有し前記コア長手方向両端部にそれぞれ同方向に傾斜面を形成した光導波路と、前記光導波路の一方の傾斜面に配置した波長選択フィルタと、受光面の法線方向をそれぞれ一にした二つの受光素子とを備え、前記受光素子の一方が、前記光導波路の一方の傾斜面および前記波長選択フィルタを介して前記光導波路と光学的に結合され、前記受光素子の他方が、前記光導波路の他方の傾斜面および前記クラッドを介して前記光導波路と光学的に結合されるものである。
【００１１】
また、前記発光素子は面型発光素子とすることができる。さらに、前記波長選択フィルタは前記光導波路の一方の傾斜面に直接形成することができる。前記光導波路の他方の傾斜面に金属薄膜または誘電体多層膜による反射ミラーを配置することができる。前記コアの少なくとも一方の端部における前記コア長手方向と垂直方向の光導波路の表面上にマイクロレンズを設けることができる。前記光導波路は高分子光導波路とすることができる。
【００１２】
本発明に係る光導波路は、コアと前記コアを覆うクラッドとを備え、前記コア長手方向両端部にそれぞれ傾斜面を形成して側面視形状を平行四辺形としたものである。前記傾斜面は好適には４５度傾斜面である。この「４５度」は、４５度丁度のほかその近傍も含む約４５度を意味する。前記傾斜面の一方にはさらに波長選択フィルタを配置することができる。また、前記傾斜面の他方には金属薄膜または誘電体多層膜による反射ミラーを配置することができる。さらに、前記コアの少なくとも一方の端部における前記コア長手方向と垂直方向の前記クラッドの表面上にマイクロレンズを設けることができる。また、前記コアの少なくとも一方の端部において前記コア長手方向と垂直方向に別のコアを設けることができる。前記コアは曲線状に形成することができる。前記コアと前記コアを覆うクラッドは高分子材料で形成することができる。
【発明の効果】
【００１３】
本発明によれば、簡易な構造で高いアイソレーションと小型化を両立できる面型光素子に対応可能な光通信装置を得ることができる。
【発明を実施するための最良の形態】
【００１４】
以下、本発明に係る光通信装置の実施例を説明するが、その前に、それに用いる光導波路（合分波器）の構成例について説明する。
【００１５】
＜光導波路（合分波器）＞
図１（Ａ）は、光通信装置において信号光の合分波および受発光素子との光接合を担う光導波路の構成例を示す斜視図であり、図１（Ｂ）は、図１（Ａ）の光導波路の側面図である。図示のように、光導波路１は、コア２とそれを覆うクラッド３とを有し、コア長手方向両端部が４５度傾斜面６ａ，６ｂとなっており、側面視形状は平行四辺形を呈している。一方の４５度傾斜面には誘電体多層膜から成る波長選択フィルタ４が設置される。波長選択フィルタ４は、別体として作製されたものを光導波路端部に設置することも可能であるが、光導波路端面に直接積層することで部品点数を減らし、実装コストを抑制することができる。この波長選択フィルタ４と後述する光素子（発光素子または受光素子）との間には、屈折率が１．３から１．８程度の図示しない接着剤が介在している。
【００１６】
図１（Ｂ）に示すように、一方の４５度傾斜面６ａに設けられた波長選択フィルタ４に対し概ね４５度の角度で光導波路上面から入射した信号光５（波長λ１，λ２）は、波長選択フィルタ４により、透過光λ１と反射光λ２に分離される。透過光λ１は、波長選択フィルタ４をそのまま通過する。反射光λ２は、波長選択フィルタ４で反射され、光導波路のコア２内を伝搬し、他方の４５度傾斜面６ｂによるマイクロミラーで伝搬方向が概ね垂直下方に変換され、光導波路外に出射される。図１（Ｂ）は分波機能を表したものであるが、光の入射方向を変えることで分波、合波および１芯双方向通信に適応される合分波器として作用する。すなわち、図の透過光λ１と反射光λ２の向きを共に逆にすることができ、または透過光λ１と反射光λ２の向きを片方だけ逆にすることができる。このようにすることで、透過光λ１と反射光λ２とは所望の距離を隔てて光導波路外で存在可能となり、それに対応して二つの光素子を同一平面に配置することができるので、アイソレーションが確保され、小型化が図られる。
【００１７】
図２（Ａ）〜（Ｃ）は、それぞれ光導波路パターンのパリエーションを示す側面図である。図２（Ａ）に示すように、光路変換を行う４５度傾斜面に金属薄膜からなる反射ミラー７を作製することでマイクロミラー面を保護することが可能である。また、反射ミラー７を誘電体多層膜によるミラーとすることで、光吸収が無く効率的に反射率を高めることができる。反射ミラー７は全反射ミラーとすることができる。さらに、４５度傾斜面によりコアの長手方向と垂直に伝搬方向を変換される信号光の光路となる光導波路の表面上にマイクロレンズ８ａ，８ｂを設けることができる。すなわち、このマイクロレンズは、コア２の少なくとも一方の端部におけるコア長手方向と垂直方向のクラッド３の表面上に設けることができる。これにより信号光をコリメートすることができる。光導波路のコア２は直線に限られず、対向する４５度面斜面間を拡散することなく光を伝搬する構造であればよい。
【００１８】
また、図２（Ｂ）に示すように、４５度傾斜面から垂直方向にコア２ａ，２ｂによる副導波路部を設けることで、コア２による主導波路部と光導波路１の外部とを光が拡散することなく接続することが可能になる。すなわち、少なくとも一方の端部においてコア長手方向と垂直方向に別のコア２ａ及び／又はコア２ｂを設けることができる。さらに、図２（Ｃ）に示すように、コア２による主導波路部とコア２ｃによる副導波路部を曲線状に構成し、波長選択フィルタ４への光の入射角度を浅くすることで、波長選択フィルタ４の偏波依存性の増加を抑えることが可能になる。
【００１９】
本光導波路としては、上記形状を満たしていれば、素材、加工方法に特に制限はない。樹脂材料（高分子材料）により構成される高分子導波路をダイシングソーによって加工することで、低コストで作製が可能である。高分子導波路の作製方法に特に制限は無く、一般によく用いられるフォトリソグラフィやＲＩＥ（反応性イオンエッチング）を利用した方法で作製可能である。特に、本発明者らが既に提案している特開２００４−２９５０７号公報に記載の方法を用いることで、剛体基板を用いる事無く高分子光導波路フィルムの作製が可能なため、その後のダイシングソーによる外形形成と同時に光学端面の形成が可能である。この方法を次に説明する。
【００２０】
図３（Ａ）〜（Ｇ）は、高分子材料を用いた光導波路の製造方法の一例を説明するための図である。図３（Ａ）は光導波路用凸部１２が形成された原盤１０を示す。この原盤１０の光導波路用凸部１２が形成された面に、図３（Ｂ）に示すように、鋳型形成用の硬化性樹脂材料の層２０ａを形成し硬化する。次に、硬化した鋳型形成用の樹脂材料の層２０ａを原盤１０から剥離し（型取り）、この層に形成された凹部２２（原盤の光導波路用の凸部１２に対応する）が露出するようにその両端を切断して、図３（Ｃ）に示すように、鋳型２０を作製する。この鋳型は例えばシリコーン樹脂製とすることができる。
【００２１】
この鋳型２０に、図３（Ｄ）に示すように、それと密着性が良いクラッド用基材（クラッド）３０を密着させる。次に、鋳型２０の一端をコアとなる硬化性樹脂４０ａに接触させ、毛細管現象を利用して鋳型の凹部２２に進入させる。図３（Ｅ）は、鋳型２０の凹部に硬化性樹脂が充填された状態を示す。そして、紫外線の照射又は加熱により凹部内に充填した硬化性樹脂を硬化させ、硬化した鋳型を剥離する（図示せず）。これにより、図３（Ｆ）に示すように、クラッド３０の上に光導波路用凸部（コア）４０が形成される。さらに、クラッド３０のコア形成面にクラッド５０を形成する。これにより、図３（Ｇ）に示すように、光導波路６０が作製される。以上のようにして作製された光導波路６０を、ダイシングソー等により成形して光導波路１を得る。ダイシングソーによる光導波路の外形形成例を次に示す。簡単の為、ここでは対向した４５度傾斜面間を直線で接続した光導波路とする。
【００２２】
図４は、光導波路の外形形成方法の一例を説明するための上面図である。本例では、図示のように、クラッド５０に覆われた複数の直線状のコア４０が互いに平行に配列された光導波路６０（光導波路フィルム）について、コア４０の長手方向、およびコア４０の長手方向に対し４５度の角度で切削を行い、平行四辺形状の光導波路１とする。このように光導波路フィルム上面形状を平行四辺形とする方法では、光導波路のすべての端面が同一のダイシングブレードにより成形可能であり、切削にかかる工数は通常の光導波路フィルムを作製する場合と同等である。また、光導波路フィルム内にコアを自由に設計できるため、図２（Ｂ）および図２Ｃに示したような、コア２ａ，２ｂによる副導波路部およびコア２ｃによる曲線構造の副導波路部を有する光導波路を作製する事ができる。
【００２３】
図５（Ａ）〜（Ｃ）は、光導波路の外形形成方法の一例を説明するための側面図である。本例では、まず、図５（Ａ）に示すように、刃先におよそ４５度の傾斜角を有するダイシングブレード５１を、土台５２上に配置された光導波路６０（光導波路フィルム）に対して垂直に当てて切削加工を行うことにより、４５度傾斜面５３を作製する。次に、必要に応じて、図５（Ｂ）に示すように、傾斜面５３に対してスパッタリング等により誘電体を積層させ波長選択フィルタとしての誘電体多層膜５４を形成する。この工程は必須ではなく、別の方法で誘電体多層膜を形成してもよい。そして、図５（Ｃ）に示すように、光導波路６０を裏返して土台５２上に配置し、上記図５（Ａ）の場合と同様にして、ダイシングブレード５１を光導波路６０に対して垂直に当てて切削加工を行うことにより、４５度傾斜面５５を作製する。このように、光導波路６０の両面に対し切削を行うことにより、光導波路６０の側面形状を平行四辺形とすることができる。この方法は、光導波路フィルムの片面に対し４５度傾斜面を形成した後、該傾斜面に対してスパッタリング等により誘電体を積層させ誘電体多層膜を形成し、しかる後に光導波路フィルムのもう一方の面に対して切削を行うものであり、これにより誘電体多層膜の作製工程を簡略化することが可能である。次に光通信装置の実施例として、光送受信装置、光送信装置および光受信装置について以下説明する。
【００２４】
＜光送受信装置＞
図６は本発明に係る光送受信装置の一実施例を示す側面図であり、図７は本発明に係る光送受信装置の一実施例を示す上面図である。本実施例では、一芯双方向通信用の光送受信装置を示す。図示のように、光送受信装置６１は、台座６２と、光学的に透明な窓材６３を有するカバー６４とを備えたパッケージを具備している。窓材６３は、例えば図示しない光ファイバに光学的に接続可能とされている。台座６２上には、サブマウント基板６５が配置されている。このサブマウント基板６５上には、面型発光型素子６６と、面型受光素子６７と、受光素子用アンプ６８とが搭載されており、さらに側面形状が平行四辺形状の光導波路１が、面型発光素子６６および面型受光素子６７の近傍に配置される。すなわち、発光素子６６の発光面の法線方向と受光素子６７の受光面の法線方向は一に（同方向に）されている。図示のように、発光素子６６と受光素子６７は所望の距離を隔てて同一平面に配置され、これによりアイソレーションが確保され、小型化が図られる。
【００２５】
光導波路１は、例えばコア径が４５μｍであり光の伝搬方向の一方の端面に波長選択フィルタ４を備えている。面型発光素子６６としてはガリウムヒ素系の垂直共振型面発光レーザーダイオード（ＶＣＳＥＬ）やＬＥＤなどがあるが、その他の素子であっても良い。面型受光素子６７としては、フォトダイオード、例えば、高速なシリコン系、またはガリウムヒ素系のＰＩＮフォトダイオード、或は、ＭＳＭ（Ｍｅｔａｌ−Ｓｅｍｉｃｏｎｄｕｃｔｏｒ−Ｍｅｔａｌ）型フォトダイオードを用いることができるが、その他の素子であってもよい。
【００２６】
本実施例では、面型受光素子６７は、台座６２上面の中央部に光導波路１の波長選択フィルタ（光学フィルタ）４と対向して設置される。波長選択フィルタ４の面と面型受光素子６７の受光面の空間には屈折率が１．３から１．８程度の接着剤６９が介在している。面型受光素子６７に入射する信号光を波長選択フィルタ４の透過光とすることで、信号光を効率よく受光することが出来る。また、面型発光素子６６を光導波路１の他方の４５度傾斜面に対向して設置することにより、４５度傾斜面による２回の光路変換による損失と光導波路の導波性能の最適化によって、レーザー光の光量を安全基準内に抑えるように調整することができる。面型発光素子６６と面型受光素子６７は、それぞれ突き当てによる位置決め機構を有するサブマウント基板６５により相互の位置を精密に調整し実装する事ができる。面型発光素子６６と面型受光素子６７の配置位置は必要に応じて交換可能である。
【００２７】
次に、本実施例の動作を説明する。図６に示すように、面型発光素子６６から上方に向けて出射された第１の信号光（波長λ１）は、光導波路１のコア２の４５度傾斜面によって反射され、図の左方向にコア２を伝搬し、波長選択フィルタ４の面において上方に反射され、窓材６３を介して光送受信装置６１の外部へ導かれる。一方、光送受信装置６１の外部から窓材６３を介して入射する第２の信号光（波長λ２）は光導波路１の上方より入射し、波長選択フィルタ４を透過し接着剤６９を介して面受光素子６７に到達する。
【００２８】
光導波路１は、受発光素子との光接続と受発光素子の電気結線を考慮して設計される。前者の光接続に関しては、受発光素子と光導波路コア部の４５度傾斜面の距離が近い事が望まれる。レンズを介さない発光素子６６からの出射光は平行光ではなく広がり角を持つ事から、発光面と該発光面に接続される導波路コア部との距離の増加に伴い、良好な光結合のために必要とされる実装位置の公差は厳しくなる。また、光導波路への入射光を効率良くコアの４５度傾斜面に光接続し、且つ、波長選択フィルタ４の透過光を効率良く面型受光素子６７に入射させる為には、光導波路１のコア２の４５度傾斜面と面型受光素子６７の隔たりも小さい事が要求される。例えば、ＮＡが０．２の信号光がコア２の４５度傾斜面に焦点を持って入射する場合に、有効受光径が７０μｍのフォトダイオードの実装公差を±１０μｍ程度確保するためには、コア２と受光素子６７の受光面との距離を１５０μｍよりも小さくする必要がある。図２（Ａ）に示したように、光導波路外部へ出射される、もしくは光導波路外部より入射される信号光の光路となる光導波路表面にマイクロレンズを設ける事により、光結合時の実装トレランスの向上が可能になる。
【００２９】
また、後者の受発光素子の電気結線に関しては、受発光素子の上方に設置される光導波路が受発光素子の電極面と干渉しないように配慮する必要がある。図８（Ａ）、（Ｂ）は受発光素子電極面と光導波路構造との関係の一例を示す図、図９（Ａ）、（Ｂ）は受発光素子電極面と光導波路構造との関係の他の例を示す図である。各図において符号８１，８２は、それぞれ発光素子６６および受光素子６７の電極（電極面）を示す。例えば、図８（Ａ）、（Ｂ）に示すように、光導波路１のコア２の長手方向延長線上に発光素子（ＶＣＳＥＬ）６６の電極面を配置する場合には、光導波路４５度面の下部を切り落とすことも有効である。また、図９（Ａ）、（Ｂ）に示すように、コア２の長手方向と垂直に光導波路側面側に発光素子（ＶＣＳＥＬ）６６および受光素子（フォトダイオード）６７の電極面を配置する場合には、コア２と受発光素子電極面が配置される側の光導波路側面までの距離を小さく設計する事で、光導波路１と受発光素子の電極面との干渉を回避することができる。
【００３０】
＜光送信装置＞
上記のように、図６の実施例は光送受信装置に係るものであるが、面型受光素子６７を面型発光素子に代えることにより、二波長λ１，λ２の信号光を発信する光送信装置を実現することができる。
【００３１】
＜光受信装置＞
また同様にして、図６の実施例の面型発光素子６６を面型受光素子に代えることにより、二波長λ１，λ２の信号光を受信する光受信装置を実現することができる。
【００３２】
このように、本発明に係る光通信装置は、受発光素子（発光素子及び／又は受光素子）が光導波路を介して例えば光ファイバと接続される光通信モジュールであって、光伝搬方向の端面を約４５度傾斜面とした側面視形状が平行四辺形の光導波路と、この光導波路の少なくとも一方の４５度傾斜面に配置された誘電体多層膜からなる波長選択フィルタと、受発光面の法線方向を一にした受発光素子とにより構成され、受発光素子の一方が受発光面の法線方向を該モジュールの入出射方向として光導波路の波長選択フィルタが配置された４５度傾斜面に対向して配置され、他方の受発光素子が他方の４５度傾斜面とクラッドを介して光接合されるものである。これにより、簡易な構造で高いアイソレーションと小型化を両立できる面型光素子に対応可能な光通信装置を得ることができる。
【産業上の利用可能性】
【００３３】
本発明は光通信装置に係り、特に、面型の光素子に対応した光送受信装置、光送信装置および光受信装置を含む光通信装置に関するものであり、産業上の利用可能性がある。
【図面の簡単な説明】
【００３４】
【図１】（Ａ）は光通信装置において信号光の合分波および受発光素子との光接合を担う光導波路の構成例を示す斜視図であり、（Ｂ）は（Ａ）の光導波路の側面図である。
【図２】（Ａ）〜（Ｃ）はそれぞれ光導波路パターンのパリエーションを示す側面図である。
【図３】（Ａ）〜（Ｇ）は高分子材料を用いた光導波路の製造方法の一例を説明するための図である。
【図４】光導波路の外形形成方法の一例を説明するための上面図である。
【図５】（Ａ）〜（Ｃ）は光導波路の外形形成方法の一例を説明するための側面図である。
【図６】本発明に係る光送受信装置の一実施例を示す側面図である。
【図７】本発明に係る光送受信装置の一実施例を示す上面図である。
【図８】受発光素子電極面と光導波路構造との関係の一例を示す図である。
【図９】受発光素子電極面と光導波路構造との関係の他の例を示す図である。
【符号の説明】
【００３５】
１  光導波路
２，２ａ，２ｂ，２ｃ  コア
３  クラッド
４  波長選択フィルタ
５  信号光
６ａ，６ｂ  ４５度傾斜面
７  反射ミラー
８ａ，８ｂ  マイクロレンズ
【図１】
2007212901.tif 000003
【図２】
2007212901.tif 000004
【図３】
2007212901.tif 000005
【図４】
2007212901.tif 000006
【図５】
2007212901.tif 000007
【図６】
2007212901.tif 000008
【図７】
2007212901.tif 000009
【図８】
2007212901.tif 000010
【図９】
2007212901.tif 000011